(57)【要約】      （修正有）【課題】ノズルダイアフラム半体の姿勢を容易に変えることができ、作業時間を短縮させることができるノズルダイアフラムの吊り上げ治具を提供する。【解決手段】吊り上げ治具１０は、ノズルダイアフラム上半６の分割面５に対する頂部に位置し、ノズルダイアフラム上半６の外周面４ａに取り外し可能に取り付けられた第１吊り具１１と、ダイアフラム中心軸線Ｌ１に沿う方向で見たときに第１吊り具１１の両側に位置し、ノズルダイアフラム上半６の外周面４ａに取り外し可能に取り付けられた一対の第２吊り具２１と、を備えている。第２吊り具２１は、ワイヤが掛けられるワイヤ掛け部２２と、ノズルダイアフラム上半６に埋め込まれた埋込部２３と、を含んでいる。埋込部２３は、吊り軸線を中心軸線Ｌ２としてワイヤ掛け部２２からノズルダイアフラム上半６に向かって延びている。吊り軸線Ｌ２は、ノズルダイアフラム上半６の重心よりも分割面５の側に位置している。【選択図】図１
2022001744.tif 000002
【特許請求の範囲】
【請求項１】
蒸気タービンのノズルダイアフラムを、ダイアフラム中心軸線を含む分割面で二分割にされたノズルダイアフラム半体を、ワイヤを用いて吊り上げるためのノズルダイアフラムの吊り上げ治具であって、
前記ノズルダイアフラム半体の前記分割面に対する頂部に位置し、前記ノズルダイアフラム半体の外周面に取り外し可能に取り付けられた第１吊り具と、
前記ダイアフラム中心軸線に沿う方向で見たときに前記第１吊り具の両側に位置し、前記ノズルダイアフラム半体の外周面に取り外し可能に取り付けられた一対の第２吊り具と、を備え、
前記第２吊り具は、前記ワイヤが掛けられるワイヤ掛け部と、前記ノズルダイアフラム半体に埋め込まれた埋込部と、を含み、
前記埋込部は、吊り軸線を中心軸線として前記ワイヤ掛け部から前記ノズルダイアフラム半体に向かって延び、
前記吊り軸線は、前記ノズルダイアフラム半体の重心よりも前記分割面の側に位置している、ノズルダイアフラムの吊り上げ治具。
【請求項２】
前記吊り軸線は、前記分割面に平行であるとともに、前記分割面に垂直な方向で見たときに前記ダイアフラム中心軸線に垂直である、請求項１に記載のノズルダイアフラムの吊り上げ治具。
【請求項３】
前記埋込部は、前記ノズルダイアフラム半体に形成されたねじ穴にねじ込まれたおねじ部を含み、
前記ワイヤ掛け部は、前記ワイヤが掛けられるワイヤリングを含み、
前記ワイヤリングは、前記吊り軸線を中心に前記おねじ部に対して回動可能である、請求項２に記載のノズルダイアフラムの吊り上げ治具。
【請求項４】
前記第２吊り具と前記ノズルダイアフラム半体との間に介在されたアダプタを更に備え、
前記アダプタの前記ノズルダイアフラム半体とは反対側の面は、平坦面である、請求項１〜３のいずれか一項に記載のノズルダイアフラムの吊り上げ治具。
【請求項５】
前記埋込部は、前記ノズルダイアフラム半体に形成されたピン穴に嵌合した埋込ピンを含み、
前記ワイヤ掛け部は、前記ワイヤが掛けられるワイヤピンを含み、
前記ワイヤピンは、前記吊り軸線を中心軸線として延びている、請求項２に記載のノズルダイアフラムの吊り上げ治具。
【請求項６】
請求項１〜５のいずれか一項に記載のノズルダイアフラムの吊り上げ治具と、
前記第１吊り具に掛けられた第１ワイヤと、
前記第１ワイヤの長さを調整する第１電動長さ調整器と、
対応する前記第２吊り具に掛けられた一対の第２ワイヤと、
対応する前記第２ワイヤの長さを調整する一対の第２電動長さ調整器と、
前記第１電動長さ調整器および前記第２電動長さ調整器の各々を制御する制御器と、を備えた、ノズルダイアフラムの吊り上げ装置。
【請求項７】
請求項１〜５のいずれか一項に記載のノズルダイアフラムの吊り上げ治具を用いて前記ノズルダイアフラム半体を吊り上げるノズルダイアフラムの吊り上げ方法であって、
前記ノズルダイアフラム半体の前記頂部で、前記ノズルダイアフラム半体の前記外周面に前記第１吊り具を取り付ける工程と、
前記ノズルダイアフラム半体の前記外周面に一対の前記第２吊り具を取り付ける工程と、
前記第１吊り具および前記第２吊り具の各々に、前記ワイヤを掛ける工程と、
前記ワイヤを介して前記ノズルダイアフラム半体を吊り上げる工程と、
前記ノズルダイアフラム半体を吊り上げた状態で、前記吊り軸線を中心にして前記ノズルダイアフラム半体を回動させる工程と、を備えた、ノズルダイアフラムの吊り上げ方法。
【請求項８】
前記ノズルダイアフラム半体を回動させる工程において、前記ノズルダイアフラム半体を、前記吊り軸線を中心にして反転させる、請求項７に記載のノズルダイアフラムの吊り上げ方法。
【発明の詳細な説明】
【技術分野】
【０００１】
本発明の実施の形態は、ノズルダイアフラムの吊り上げ治具、ノズルダイアフラムの吊り上げ装置およびノズルダイアフラムの吊り上げ方法に関する。
【背景技術】
【０００２】
蒸気タービンのノズルダイアフラムは、ダイアフラム中心軸線を含む分割面で２つのノズルフラム半体に二分割にされている。分割面は水平面に沿っており、上側のノズルダイアフラム半体をノズルダイアフラム上半と称し、下側のノズルダイアフラム半体をノズルダイアフラム下半と称する場合がある。
【０００３】
ノズルダイアフラム半体は、工場製造時から現地据付までの間に、反転または回動させることによって姿勢を変える機会が多い。また、運用後の開放点検時においても、分解、点検および組立などの各作業に伴い、ノズルダイアフラム半体の姿勢を変える機会が多い。
【０００４】
ここで、図９Ａ〜図９Ｄを参照しながら、組立状態の蒸気タービンからノズルダイアフラム半体（ここではノズルダイアフラム上半）を取り出してラックに収納する場合を例にとって説明する。まず、図９Ａに示すように、ノズルダイアフラム上半１００の上端に設けられたねじ穴に、アイボルトなどの吊り具１０１を取り付ける。そして、クレーンのフックと吊り具１０１をワイヤ１０２で掛け渡し、クレーンでノズルダイアフラム上半１００を吊り上げる。次に、図９Ｂに示すように、床面Ｆに置かれた枕木（図示せず）上に、ノズルダイアフラム上半１００を水平姿勢にして載置する。より具体的には、吊り上げ状態でノズルダイアフラム上半１００の下端を枕木に接触させる。この接触点を支点にしてノズルダイアフラム上半１００を倒して、水平姿勢にする。続いて、図９Ｃに示すように、ノズルダイアフラム上半１００の分割面１０３に設けられたねじ穴に、アイボルトなどの吊り具１０４を取り付ける。この吊り具１０４に、ワイヤ１０２を掛け替える。そして、クレーンでノズルダイアフラム上半１００を吊り上げると、図９Ｄに示すように、ノズルダイアフラム上半１００は反転する。この反転した状態で、ノズルダイアフラム上半１００をラック１０５に収納する。
【０００５】
このように、ノズルダイアフラム上半１００をラック１０５に収納する場合には、吊り上げたノズルダイアフラム上半１００を床面Ｆに水平姿勢で載置する作業と、分割面１０３に吊り具を取り付ける作業とを要し、作業が煩雑になっている。
【０００６】
また、ノズルダイアフラム上半だけでなくノズルダイアフラム下半も、点検などのために、吊り上げて回動させることにより、姿勢を変える場合がある。
【０００７】
一般的に、蒸気タービンは、数段落から数十段落のノズルダイアフラムを備えている。このため、ノズルダイアフラム半体の姿勢を変える作業が繁雑である場合には、その作業に多くの人員や時間を要する。ノズルダイアフラム半体は重量物であるため、ノズルダイアフラム半体の姿勢を変える作業は、専門的な知識や技量を持つ作業員によって行われることが望ましい。しかしながら、そのような作業員を多く確保することは他の作業に支障をきたす恐れがある。また、作業スペースの確保やクレーンの占有時間が長くなることによっても、他の作業に支障をきたす恐れがある。
【先行技術文献】
【特許文献】
【０００８】
【特許文献１】実用新案登録第２５８９４１９号公報
【発明の概要】
【発明が解決しようとする課題】
【０００９】
本発明は、このような点を考慮してなされたものであり、ノズルダイアフラム半体の姿勢を容易に変えることができ、作業時間を短縮させることができるノズルダイアフラムの吊り上げ治具、ノズルダイアフラムの吊り上げ装置およびノズルダイアフラムの吊り上げ方法を提供することを目的とする。
【課題を解決するための手段】
【００１０】
実施の形態によるノズルダイアフラムの吊り上げ治具は、蒸気タービンのノズルダイアフラムを、ダイアフラム中心軸線を含む分割面で二分割にされたノズルダイアフラム半体を、ワイヤを用いて吊り上げるための治具である。ノズルダイアフラムの吊り上げ治具は、ノズルダイアフラム半体の分割面に対する頂部に位置し、ノズルダイアフラム半体の外周面に取り外し可能に取り付けられた第１吊り具と、ダイアフラム中心軸線に沿う方向で見たときに第１吊り具の両側に位置し、ノズルダイアフラム半体の外周面に取り外し可能に取り付けられた一対の第２吊り具と、を備えている。第２吊り具は、ワイヤが掛けられるワイヤ掛け部と、ノズルダイアフラム半体に埋め込まれた埋込部と、を含んでいる。埋込部は、吊り軸線を中心軸線としてワイヤ掛け部からノズルダイアフラム半体に向かって延びている。吊り軸線は、ノズルダイアフラム半体の重心よりも分割面の側に位置している。
【００１１】
また、実施の形態によるノズルダイアフラムの吊り上げ装置は、上述したノズルダイアフラムの吊り上げ治具と、第１吊り具に掛けられた第１ワイヤと、第１ワイヤの長さを調整する第１電動長さ調整器と、対応する第２吊り具に掛けられた一対の第２ワイヤと、対応する第２ワイヤの長さを調整する一対の第２電動長さ調整器と、第１電動長さ調整器および第２電動長さ調整器の各々を制御する制御器と、を備えている。
【００１２】
また、実施の形態によるノズルダイアフラムの吊り上げ方法は、上述したノズルダイアフラムの吊り上げ治具を用いてノズルダイアフラム半体を吊り上げる方法である。ノズルダイアフラムの吊り上げ方法は、ノズルダイアフラム半体の頂部で、ノズルダイアフラム半体の外周面に第１吊り具を取り付ける工程と、ノズルダイアフラム半体の外周面に一対の第２吊り具を取り付ける工程と、第１吊り具および第２吊り具の各々に、ワイヤを掛ける工程と、ワイヤを介してノズルダイアフラム半体を吊り上げる工程と、ノズルダイアフラム半体を吊り上げた状態で、吊り軸線を中心にしてノズルダイアフラム半体を回動させる工程と、を備えている。
【発明の効果】
【００１３】
本発明によれば、ノズルダイアフラム半体の姿勢を容易に変えることができ、作業時間を短縮させることができる。
【図面の簡単な説明】
【００１４】
【図１】図１は、本発明の実施の形態におけるノズルダイアフラムの吊り上げ治具を示す正面図である。
【図２Ａ】図２Ａは、図１の第1吊り具を示す部分拡大図である。
【図２Ｂ】図２Ｂは、図１の第２吊り具を示す部分拡大図である。
【図３Ａ】図３Ａは、本発明の実施の形態におけるノズルダイアフラムの吊り上げ方法において、ノズルダイアフラムの半体を吊り上げた状態を示す正面図である。
【図３Ｂ】図３Ｂは、図３Ａの側面図である。
【図４Ａ】図４Ａは、本発明の実施の形態におけるノズルダイアフラムの吊り上げ方法において、ノズルダイアフラムの半体を水平に倒した状態を示す正面図である。
【図４Ｂ】図４Ｂは、図４Ａの側面図である。
【図５Ａ】図５Ａは、本発明の実施の形態におけるノズルダイアフラムの吊り上げ方法において、ノズルダイアフラムの半体を反転させた状態を示す正面図である。
【図５Ｂ】図５Ｂは、図５Ａの側面図であって、ラックに収納した状態を示す側面図である。
【図６】図６は、図３Ａの変形例を示す正面図である。
【図７】図７は、図３Ａの他の変形例を示す正面図である。
【図８Ａ】図８Ａは、図１の変形例を示す正面図である。
【図８Ｂ】図８Ｂは、図８Ａのピンにワイヤを掛けた状態を示す側面図である。
【図９Ａ】図９Ａは、一般的なノズルダイアフラムの半体の反転方法において、ノズルダイアフラムの半体を吊り上げた状態を示す側面図である。
【図９Ｂ】図９Ｂは、図９Ａに続いて、ノズルダイアフラムの半体を水平姿勢にして床面に載置した状態を示す側面図である。
【図９Ｃ】図９Ｃは、図９Ｂに続いて、ワイヤを掛け替えた状態を示す側面図である。
【図９Ｄ】図９Ｄは、図９Ｃに続いて、ノズルダイアフラムの半体を反転してラックに収容した状態を示す側面図である。
【発明を実施するための形態】
【００１５】
以下、図面を参照して、本発明の実施の形態におけるノズルダイアフラムの吊り上げ治具、ノズルダイアフラムの吊り上げ装置およびノズルダイアフラムの吊り上げ方法について説明する。
【００１６】
ここではまず、ノズルダイアフラムについて説明する。
【００１７】
図示しないが、蒸気タービンは、ケーシングと、ケーシングに回転可能に設けられたタービンロータと、ケーシング内に設けられた複数のタービン段落と、を備えている。各タービン段落は、静翼翼列２（図１参照）と動翼翼列とで構成されている。静翼翼列２は、下流側に配置された動翼翼列への蒸気の流れを案内するように構成されている。各タービン段落を蒸気が通過することにより、蒸気が動翼に対して仕事を行う。このことにより、蒸気のエネルギがタービンロータを回転駆動させるエネルギに変換されて、タービンロータが回転する。
【００１８】
図１に示すように、静翼翼列２は、ノズルダイアフラム１を構成している。すなわち、ノズルダイアフラム１は、静翼翼列２と、静翼翼列２の内周側に設けられた内輪３と、静翼翼列２の外周側に設けられた外輪４と、を含んでいる。静翼翼列２は、周方向に配列された複数の静翼２ａを含み、互いに隣り合う静翼２ａの間の通路を蒸気が通過するように形成されている。各静翼２ａは、内輪３および外輪４によって支持されている。外輪４は、ケーシングの内側に配置されており、ケーシングに支持されている。
【００１９】
図示しないが、ケーシングは、タービンロータの中心軸線を含む分割面で二分割にされている。ケーシングの組立状態では、分割面は水平面に沿っている。ケーシング上半とケーシング下半とで、ケーシングが構成されている。
【００２０】
図１に示すように、ノズルダイアフラム１は、ダイアフラム中心軸線Ｌ１（上述したタービンロータの中心軸線に相当）を含む分割面５で二分割にされており、２つのノズルダイアフラム半体で構成されている。ノズルダイアフラム１の組立状態では、分割面５は水平面に沿っている。上側のノズルダイアフラム半体をノズルダイアフラム上半６と称し、下側のノズルダイアフラム半体をノズルダイアフラム下半７と称する。
【００２１】
本実施の形態によるノズルダイアフラムの吊り上げ治具（以下、単に吊り上げ治具１０と記す）は、上述したノズルダイアフラム半体を、ワイヤ４１、４２を用いて吊り上げるための治具である。本実施の形態においては、ノズルダイアフラム半体の一例としてノズルダイアフラム上半６を吊り上げる例について説明する。
【００２２】
図１に示すように、吊り上げ治具１０は、第１吊り具１１と、一対の第２吊り具２１と、を備えている。
【００２３】
第１吊り具１１は、ノズルダイアフラム上半６の分割面５に対する頂部に位置している。分割面５が下方に配置された状態では、第１吊り具１１は、ノズルダイアフラム上半６の上端部に位置している。分割面５が下方に配置された状態は、ノズルダイアフラム１の組立状態に相当している。
【００２４】
第１吊り具１１は、ノズルダイアフラム上半６の外輪４の外周面に取り外し可能に取り付けられている。図２Ａに示すように、第１吊り具１１は、第１ワイヤ４１が掛けられる第１ワイヤ掛け部１２と、第１ワイヤ掛け部１２からノズルダイアフラム上半６の外輪４に向かって延びる第１埋込部１３と、を含んでいる。第１ワイヤ掛け部１２は、第１埋込部１３に取り付けられた第１台座部１４と、第１台座部１４に取り付けられた第１ワイヤリング１５と、を含んでいてもよい。第１ワイヤ４１は、第１ワイヤリング１５に掛けられる。第１埋込部１３は、外輪４に埋め込まれる部分である。このような第１埋込部１３は、第１おねじ部１６を含んでいてもよい。この場合、第１おねじ部１６を、外輪４に形成されたねじ穴４ｂにねじ込むことにより、第１吊り具１１を外輪４に取り外し可能に取り付けることができる。外輪４の外周面には、第１台座部１４が当接する座面が形成されていてもよい。座面は、分割面５に平行であってもよく、外輪４の外周面に凹状に形成されていてもよい。この座面に、第１おねじ部１６がねじ込まれる上述のねじ穴４ｂが形成される。
【００２５】
第１おねじ部１６は、第１ワイヤ掛け部１２からノズルダイアフラム上半６の外輪４に向かって延びている。第１おねじ部１６の中心軸線は、分割面５に垂直な方向に延びている。図１に示す状態では、第１おねじ部１６は、第１ワイヤ掛け部１２から下方に延びており、第１おねじ部１６の中心軸線は、上下方向に延びている。第１ワイヤリング１５は、第１おねじ部１６の上方に位置している。
【００２６】
このように構成された第１吊り具１１は、アイボルトであってもよい。この場合、第１台座部１４は第１おねじ部１６に固定されるとともに、第１ワイヤリング１５は第１台座部１４に固定される。しかしながら、このことに限られることはなく、第１吊り具１１は、第１ワイヤリング１５が第１おねじ部１６に対して第１おねじ部１６の中心軸線を中心に回動可能になっていてもよい。この場合、第１吊り具１１は、後述する１軸回転式の自在アイボルトであってもよく、後述する２軸回転式の自在アイボルトであってもよい。
【００２７】
図１に示すように、第２吊り具２１は、ダイアフラム中心軸線Ｌ１に沿う方向で見たときに第１吊り具１１の両側に位置している。図１においては、第２吊り具２１は、第１吊り具１１の左右両側に位置している。
【００２８】
第２吊り具２１は、ノズルダイアフラム上半６の外周面に取り外し可能に取り付けられている。図２Ｂに示すように、第２吊り具２１は、ワイヤが掛けられる第２ワイヤ掛け部２２と、第２ワイヤ掛け部２２からノズルダイアフラム上半６の外輪４に向かって延びる第２埋込部２３と、を含んでいる。第２埋込部２３は、ノズルダイアフラム上半６の外輪４に埋め込まれる部分である。
【００２９】
第２埋込部２３は、吊り軸線Ｌ２を中心軸線として、第２ワイヤ掛け部２２の第２台座部２４（後述）からノズルダイアフラム上半６の外輪４に向かって延びている。言い換えると、図１に示すように、各々の第２埋込部２３の中心軸線は、吊り軸線Ｌ２上に位置しており、一直線上に配置されている。また、吊り軸線Ｌ２は、分割面５に平行であってもよく、分割面５に垂直な方向で見たときにダイアフラム中心軸線Ｌ１に垂直になっていてもよい。
【００３０】
吊り軸線Ｌ２は、ノズルダイアフラム上半６の重心Ｇよりも分割面５の側に位置している。分割面５が下方に配置された状態では、ノズルダイアフラム上半６の重心Ｇよりも下方に吊り軸線Ｌ２が位置している。ノズルダイアフラム上半６の外周面の半径をＲとしたとき、ノズルダイアフラム上半６の重心Ｇは、概略的には、分割面５から０．５×Ｒの位置になり得る。
【００３１】
図２Ｂに示すように、第２ワイヤ掛け部２２は、第２埋込部２３に取り付けられた第２台座部２４と、第２台座部２４に取り付けられた第２ワイヤリング２５と、を含んでいてもよい。第２ワイヤ４２は、第２ワイヤリング２５に掛けられる。
【００３２】
第２埋込部２３は、第２おねじ部２６を含んでいてもよい。この場合、第２おねじ部２６を、外輪４に形成されたねじ穴４ｃにねじ込むことにより、第２吊り具２１を外輪４に取り外し可能に取り付けることができる。第２おねじ部２６は、吊り軸線Ｌ２を中心軸線としている。
【００３３】
第２ワイヤリング２５は、吊り軸線Ｌ２を中心に第２おねじ部２６に対して回動可能であってもよい。例えば、上述した第２台座部２４が、第２おねじ部２６に対して吊り軸線Ｌ２を中心に回動可能になっていてもよい。第２ワイヤリング２５は、第２台座部２４に対して固定されていてもよい。
【００３４】
このように構成された第２吊り具２１は、自在アイボルトであってもよい。自在アイボルトは、上述したようにワイヤリングが、おねじ部に対して回動可能になっているアイボルトを意味する用語として用いている。本実施の形態においては、第２吊り具２１の第２ワイヤリング２５が、第２おねじ部２６の中心軸線（図１では吊り軸線Ｌ２に相当）を中心に回動可能になっている場合について説明する。この場合の自在アイボルトを１軸回転式の自在アイボルトと称する場合もある。なお、第２吊り具２１は、２軸回転式の自在アイボルトであってもよい。この場合、第２吊り具２１の第２ワイヤリング２５は、第２おねじ部２６の中心軸線を中心にして第２おねじ部２６に対して回動可能になるだけでなく、吊り軸線Ｌ２に垂直な回動軸線を中心に更に回動可能になる。このことにより、第２ワイヤリング２５は、第２台座部２４に対して倒すようにも回動させることができ、第２ワイヤ４２の向きへの追従性を向上させることができる。
【００３５】
図１および図２Ｂに示すように、第２吊り具２１とノズルダイアフラム上半６の外輪４との間には、アダプタ３０が介在されていてもよい。例えば、アダプタ３０の外輪４とは反対側の面３０ａは、平坦面になっていてもよい。すなわち、アダプタ３０の外輪４とは反対側の面３０ａは、ダイアフラム中心軸線Ｌ１に平行であるとともに、分割面５に垂直であってもよい。このアダプタ３０の外輪４とは反対側の面３０ａに、第２吊り具２１の第２台座部２４が当接する。また、例えば、アダプタ３０の外輪４の側の面は、外輪４の外周面に沿うように円弧状に形成されていてもよい。あるいは、アダプタ３０の外輪４の側の面は、平坦面に形成されて、ダイアフラム中心軸線Ｌ１に平行であるとともに、分割面５に垂直であってもよい。この場合、外輪４に、アダプタ３０が当接する座面が形成されていてもよい。座面は、ダイアフラム中心軸線Ｌ１に平行に形成されるとともに、分割面５に垂直に形成される。座面は、外輪４の外周面に、凹状に形成されてもよい。そして、この座面に、第２おねじ部２６がねじ込まれるねじ穴４ｃが形成される。アダプタ３０には、第２吊り具２１の第２おねじ部２６が貫通する貫通穴３１が設けられる。また、アダプタ３０は、座面に、図示しないボルト等を用いて取り付けられていてもよい。
【００３６】
次に、このような構成からなる本実施の形態によるノズルダイアフラムの吊り上げ方法について説明する。ノズルダイアフラムの吊り上げ方法は、上述したノズルダイアフラムの吊り上げ治具１０を用いてノズルダイアフラム半体を吊り上げる方法である。ここでは、ノズルダイアフラム半体の一例としてのノズルダイアフラム上半６を、組立状態のノズルダイアフラム１から取り出して、ラック４６に収納する場合を例にとって説明する。
【００３７】
まず、図３Ａおよび図３Ｂに示すように、ノズルダイアフラム上半６の外輪４の外周面に、第１吊り具１１が取り付けられる。この際、第１吊り具１１の第１おねじ部１６は、外輪４の外周面のうち上端に形成されたねじ穴４ｂにねじ込まれる。また、外輪４に、一対の第２吊り具２１がアダプタ３０を介して取り付けられる。第２吊り具２１の第２おねじ部２６は、外輪４の外周面のうちノズルダイアフラム上半６の重心Ｇよりも下方に位置するねじ穴４ｃにねじ込まれる。なお、図３Ａにおいては、便宜上、第１吊り具１１の第１ワイヤリング１５が、正面を向いている状態で示されているが、これに限られることはなく、図３Ｂに示すように、側面を向くようにしてもよい。後述する図５Ａ、図６、図７においても同様である。
【００３８】
続いて、第１吊り具１１の第１ワイヤリング１５および各第２吊り具２１の第２ワイヤリング２５に、ワイヤ４１、４２が掛けられる。例えば、第１ワイヤリング１５に掛けられたワイヤ（以下、第１ワイヤ４１と称する）は、長さ調整器４３を介してクレーンのフック４４に掛けられるようにしてもよい。長さ調整器４３とフック４４には、他のワイヤ４５が掛けられていてもよい。長さ調整器４３は、第１ワイヤ４１の長さを調整する機器である。長さ調整器４３は、手動式で第１ワイヤ４１の長さを調整可能に構成されていてもよく、電動式で第１ワイヤ４１の長さを調整可能に構成されていてもよい。このような長さ調整器４３の例としては、チェーンブロックやモートルブロックが挙げられる。また、第２吊り具２１に掛けられたワイヤ（以下、第２ワイヤ４２と称する）は、クレーンのフック４４に掛けられるようにしてもよい。２つの第２ワイヤ４２の長さは同一であることが好ましい。
【００３９】
次に、第１ワイヤ４１および第２ワイヤ４２を介してノズルダイアフラム上半６が吊り上げられる。このことにより、ノズルダイアフラム上半６を、ノズルダイアフラム下半７から引き上げることができる。この場合、ノズルダイアフラム上半６が、分割面５が下方に配置された状態が維持されるように、長さ調整器４３で第１ワイヤ４１の長さを調整する。
【００４０】
次に、ノズルダイアフラム上半６を、吊り上げた状態で回動させる。
【００４１】
この場合、まず、長さ調整器４３で第１ワイヤ４１の長さを長くし、ノズルダイアフラム上半６を倒す。このことにより、図４Ａおよび図４Ｂに示すように、ノズルダイアフラム上半６が吊り軸線Ｌ２を中心にして回動し、ノズルダイアフラム上半６を水平姿勢に変えることができる。この間、第２吊り具２１の第２ワイヤリング２５は、第２ワイヤ４２の向きに追従するように、吊り軸線Ｌ２を中心に第２おねじ部２６に対して回動する。このことにより、第２ワイヤリング２５に過大な力が掛かることを防止しながら、ノズルダイアフラム上半６をスムースに回動させることができる。
【００４２】
ここで、上述したように、吊り軸線Ｌ２は、ノズルダイアフラム上半６の重心Ｇよりも分割面５の側に位置している。言い換えると、ノズルダイアフラム上半６の重心Ｇが、吊り軸線Ｌ２よりも上方に位置している。このため、ノズルダイアフラム上半６の上端を倒す力をノズルダイアフラム上半６に与えると、ノズルダイアフラム上半６を容易に回動させることができる。この際、一対の第２吊り具２１が第２ワイヤ４２に支持されているため、吊り軸線Ｌ２を中心とするようにノズルダイアフラム上半６を回動させることができる。
【００４３】
なお、図３Ｂにおいては、吊り軸線Ｌ２が、ダイアフラム中心軸線Ｌ１に沿う方向においてノズルダイアフラム上半６の重心Ｇと同じ位置に配置されている例が示されている。しかしながら、このことに限られることはなく、図示しないが、吊り軸線Ｌ２が、ダイアフラム中心軸線Ｌ１に沿う方向においてノズルダイアフラム上半６の重心Ｇよりも一側にずれて配置されていてもよい。このことにより、第１ワイヤ４１および第２ワイヤ４２で吊り上げた場合には、吊り軸線Ｌ２の周りに作用する重心Ｇのモーメントを利用して、ノズルダイアフラム上半６を容易に回動させることができる。例えば、吊り軸線Ｌ２が、ノズルダイアフラム上半６の重心Ｇよりも図３Ｂにおいて左側にずれている場合には、ノズルダイアフラム上半６を、上端が右側に倒れる方向に容易に回動させることができる。
【００４４】
そして、長さ調整器４３で第１ワイヤ４１の長さを更に長くする。このことにより、図５Ａおよび図５Ｂに示すように、ノズルダイアフラム上半６が吊り軸線Ｌ２を中心にして更に回動し、ノズルダイアフラム上半６を反転させることができる。この場合、第１吊り具１１は、ノズルダイアフラム上半６の下端に位置し、ノズルダイアフラム上半６の分割面５は上方に位置する。この間、第２吊り具２１の第２ワイヤリング２５は、第２ワイヤ４２の向きに追従するように、吊り軸線Ｌ２を中心に第２おねじ部２６に対して回動する。このようにして、ノズルダイアフラム上半６を反転姿勢に変えることができる。ノズルダイアフラム上半６を反転姿勢にする際には、第１ワイヤ４１を第１吊り具１１の第１ワイヤリング１５から外すとともに、第１吊り具１１を外輪４から取り外してもよい。なお、ノズルダイアフラム上半６を回動させる工程は、図３Ａおよび図３Ｂの起立状態から図５Ａおよび図５Ｂの反転状態まで連続して行ってもよい。この場合、第１ワイヤ４１の長さを徐々に長くさせながら、ノズルダイアフラム上半６を回動させてもよい。
【００４５】
その後、反転姿勢のノズルダイアフラム上半６を、クレーンで搬送し、ラック４６に収納する。なお、ノズルダイアフラム上半６の反転作業を行うタイミングは、ノズルダイアフラム上半６を吊り上げて搬送した後に行ってもよく、搬送途中で行ってもよく、任意である。
【００４６】
このようにして、組立状態のノズルダイアフラム１からノズルダイアフラム上半６を取り出してラック４６に収納することができる。
【００４７】
なお、ラック４６に収納されたノズルダイアフラム上半６を搬送して、ノズルダイアフラム下半７の上に組み込む場合には、上述の手順とは逆の手順を行えばよい。例えば、まず、ノズルダイアフラム上半６に第１吊り具１１および第２吊り具２１を取り付ける。続いてノズルダイアフラム上半６を吊り上げてラック４６から引き出し、ノズルダイアフラム下半７の上方位置に搬送する。その後、ノズルダイアフラム上半６を下降させて、ノズルダイアフラム下半７の上に組み込む。ノズルダイアフラム上半６の反転作業は、ノズルダイアフラム上半６を吊り上げてから下降させるまでの間の任意のタイミングで行えばよい。ノズルダイアフラム下半７の上に組み込んだ後、ケーシング上半との干渉を回避するために、第１吊り具１１、第２吊り具２１およびアダプタ３０は取り外される。
【００４８】
このように本実施の形態によれば、第１吊り具１１の両側でノズルダイアフラム上半６に一対の第２吊り具２１が取り付けられ、ノズルダイアフラム上半６に埋め込まれた第２吊り具２１の第２埋込部２３の中心軸線でもある吊り軸線Ｌ２が、ノズルダイアフラム上半６の重心Ｇよりも分割面５の側に位置している。このことにより、ノズルダイアフラム上半６の重心Ｇを、吊り軸線Ｌ２よりも分割面５とは反対側に位置することができる。このため、ノズルダイアフラム上半６を、吊り上げた状態で、吊り軸線Ｌ２を中心に容易に回動させることができる。この結果、ノズルダイアフラム上半６の姿勢を容易に変えることができ、作業時間を短縮させることができる。
【００４９】
一般的には、ノズルダイアフラム上半６の姿勢を変える場合には、ノズルダイアフラム上半６を床面Ｆに載置していた（図９Ｂ、図９Ｃ参照）。この場合、ノズルダイアフラム上半６や吊り具に衝撃が与えられ、損傷が懸念されるという問題があった。これに対して本実施の形態では、ノズルダイアフラム上半６を吊り上げた状態で姿勢を変えることができるため、ノズルダイアフラム上半６や第１吊り具１１、第２吊り具２１に衝撃が与えられることを防止できる。このため、損傷を防止できる。また、ノズルダイアフラム上半６への吊り具の付け替えを不要にすることができ、ノズルダイアフラム上半６の姿勢を容易に変えることができる。このため、作業スペースを低減することができる。また、ノズルダイアフラム上半６の姿勢を変えるための作業時間を短縮させることができ、クレーンの占有時間を短縮させることができる。
【００５０】
また、本実施の形態によれば、吊り軸線Ｌ２は、分割面５に平行であるとともに、分割面５に垂直な方向で見たときにダイアフラム中心軸線Ｌ１に垂直になっている。このことにより、ノズルダイアフラム上半６を、ダイアフラム中心軸線Ｌ１に沿う方向に倒すことができる。すなわち、ノズルダイアフラム上半６が、ダイアフラム中心軸線Ｌ１に対して傾くように倒れる場合、２つの第２吊り具２１に掛かる力のバランスが崩れる恐れがある。これに対して本実施の形態によれば、ノズルダイアフラム上半６を、ダイアフラム中心軸線Ｌ１に沿う方向に倒すことができる。このため、２つの第２吊り具２１に掛かる力が偏ることを防止でき、作業の安全性を向上させることができる。
【００５１】
また、本実施の形態によれば、第２吊り具２１の第２ワイヤリング２５が、吊り軸線Ｌ２を中心に第２おねじ部２６に対して回動可能になっている。このことにより、ノズルダイアフラム上半６の回動中に、第２ワイヤリング２５の向きを、第２ワイヤ４２の向きに自動的に追従させることができる。このため、ノズルダイアフラム上半６を吊り上げた状態でスムースに回動させることができる。また、第２ワイヤリング２５に過大な力が掛かることを防止でき、作業の安全性を向上させることができる。
【００５２】
また、本実施の形態によれば、第２吊り具２１とノズルダイアフラム上半６との間にアダプタ３０が介在され、アダプタ３０のノズルダイアフラム上半６とは反対側の面３０ａは、平坦面になっている。このことにより、第２吊り具２１を安定的にノズルダイアフラム上半６に取り付けることができる。このため、ノズルダイアフラム上半６を吊り上げた際に、第２吊り具２１が変形することを防止できる。
【００５３】
なお、上述した本実施の形態においては、第１吊り具１１の第１ワイヤリング１５に掛けられた第１ワイヤ４１の長さが、長さ調整器４３で調整される例について説明した。しかしながら、このことに限られることはなく、図６に示すように、第１ワイヤ４１は、第２ワイヤ４２が掛けられたフック４４とは別のクレーンのフック４７に掛けられていてもよい。この場合、このフック４７の高さを調整することにより、ノズルダイアフラム上半６を容易に回動させることができる。
【００５４】
また、上述した本実施の形態においては、第１吊り具１１に掛けられた第１ワイヤ４１の長さが、長さ調整器４３で調整される例について説明した。しかしながら、このことに限られることはなく、各々の第２吊り具２１に掛けられた第２ワイヤ４２の長さが、対応する長さ調整器でそれぞれ調整されるようにしてもよい。ノズルダイアフラム上半６を回動させる際には、各々の長さ調整器で対応する第２ワイヤ４２の長さを調整すればよい。
【００５５】
また、第１ワイヤ４１の長さおよび各々の第２ワイヤ４２の長さを、対応する長さ調整器でそれぞれ調整してもよい。例えば、図７に示すような、ノズルダイアフラムの吊り上げ装置５０を用いて、ノズルダイアフラム上半６を吊り上げるようにしてもよい。図７に示すノズルダイアフラムの吊り上げ装置５０は、上述した吊り上げ治具１０と、第１ワイヤ４１と、第１ワイヤ４１の長さを調整する第１電動長さ調整器５１と、一対の第２ワイヤ４２と、対応する第２ワイヤ４２の長さを調整する一対の第２電動長さ調整器５２と、制御器５３と、吊り梁５４と、を備えている。第１電動長さ調整器５１および第２電動長さ調整器５２はそれぞれ、モートルブロックであってもよい。制御器５３は、第１電動長さ調整器５１および第２電動長さ調整器５２を制御する。制御器５３が、第１電動長さ調整器５１および第２電動長さ調整器５２を操作可能に構成されている場合には、作業者が制御器５３を用いて第１電動長さ調整器５１および第２電動長さ調整器５２を操作することができる。
【００５６】
第１電動長さ調整器５１および第２電動長さ調整器５２は、吊り梁５４に吊り下げられている。すなわち、第１電動長さ調整器５１はワイヤ５５を介して吊り梁５４に吊り下げられ、第２電動長さ調整器５２はワイヤ５６を介して吊り梁５４に吊り下げられている。吊り梁５４は、図示しないクレームのフックに吊り下げられている。
【００５７】
図７に示すノズルダイアフラム吊り下げ装置５０を用いてノズルダイアフラム上半６の反転作業を行う場合には、ノズルダイアフラム上半６の姿勢に応じて、第１ワイヤ４１の長さおよび第２ワイヤ４２の長さを、制御器５３を用いて調整することができる。このため、第１ワイヤ４１の長さおよび第２ワイヤ４２の長さを容易に調整することができ、ノズルダイアフラム上半６の姿勢を容易に変えることができる。また、第１ワイヤ４１の長さの調整と第２ワイヤ４２の長さの調整を設定したプログラムを制御器５３に予め組み込んでいてもよい。このプログラムを制御器５３で実行させることにより、各ワイヤ４１、４２の長さの調整を自動化させることができ、ワイヤ４１、４２の長さの調整作業をより一層容易化させることができる。
【００５８】
また、上述した本実施の形態においては、第２吊り具２１の第２ワイヤ掛け部２２は、第２台座部２４と第２ワイヤリング２５とを含み、第２埋込部２３が第２おねじ部２６を含んでいる例について説明した。しかしながら、このことに限られることはない。例えば、図８Ａに示すように、第２埋込部２３は、ノズルダイアフラム上半６に形成されたピン穴４ｄに嵌合した埋込ピン６０を含んでいてもよい。第２ワイヤ掛け部２２は、第２ワイヤ４２が掛けられるワイヤピン６１を含んでいてもよい。ワイヤピン６１は、吊り軸線Ｌ２を中心軸線として延びていてもよい。この場合、埋込ピン６０とワイヤピン６１は、同一径で、一体に、連続状に形成されていてもよい。ワイヤピン６１は、周方向に延びる溝６２を含んでいてもよい。この溝６２に、図８Ｂに示すように、第２ワイヤ４２が掛けられるようにしてもよい。溝６２の横断面形状は、第２ワイヤ４２を掛けることができれば任意である。図８Ａに示す第２吊り具２１を用いる場合においても、ノズルダイアフラム上半６を吊り上げた状態でスムースに回動させることができ、ノズルダイアフラム上半６の姿勢を容易に変えることができる。
【００５９】
また、上述した本実施の形態においては、ノズルダイアフラム上半６を吊り上げる例について説明した。しかしながら、このことに限られることはなく、ノズルダイアフラム下半７を吊り上げて、姿勢を変えるようにしてもよい。
【００６０】
以上述べた実施の形態によれば、ノズルダイアフラム半体の姿勢を容易に変えることができ、作業時間を短縮させることができる。
【００６１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６２】
１：ノズルダイアフラム、４ａ：外周面、４ｂ：ねじ穴、４ｃ：ねじ穴、４ｄ：ピン穴、
５：分割面、６：ノズルダイアフラム上半、７：ノズルダイアフラム下半、１０：ノズルダイアフラムの吊り上げ治具、１１：第１吊り具、２１：第２吊り具、２２：第２ワイヤ掛け部、２３：第２埋込部、２５：第２ワイヤリング、２６：第２おねじ部、３０：アダプタ、４１：第１ワイヤ、４２：第２ワイヤ、５０：ノズルダイアフラムの吊り上げ装置、５１：第１電動長さ調整器、５２：第２電動長さ調整器、５３：制御器、６０：埋込ピン、６１：ワイヤピン、６２：溝、Ｇ：重心、Ｌ１：ダイアフラム中心軸線、Ｌ２：吊り軸線
【図１】
2022001744.tif 000003
【図２Ａ】
2022001744.tif 000004
【図２Ｂ】
2022001744.tif 000005
【図３Ａ】
2022001744.tif 000006
【図３Ｂ】
2022001744.tif 000007
【図４Ａ】
2022001744.tif 000008
【図４Ｂ】
2022001744.tif 000009
【図５Ａ】
2022001744.tif 000010
【図５Ｂ】
2022001744.tif 000011
【図６】
2022001744.tif 000012
【図７】
2022001744.tif 000013
【図８Ａ】
2022001744.tif 000014
【図８Ｂ】
2022001744.tif 000015
【図９Ａ】
2022001744.tif 000016
【図９Ｂ】
2022001744.tif 000017
【図９Ｃ】
2022001744.tif 000018
【図９Ｄ】
2022001744.tif 000019